【事件の表示】
　特許第２８０７２３８号　「ガラス母材の表面処理方法」の特許に対する特許異議の申立てについて、次のとおり決定する。
【結　論】
　訂正を認める。
　特許第２８０７２３８号の特許を維持する。
【理　由】
 １．手続の経緯
  特許第２８０７２３８号は、昭和６３年９月１３日に特許出願され、平成１０年７月２４日にその特許の設定登録がなされ、その後、信越石英株式会社より特許異議の申立てがなされ、取消理由通知がなされ、その指定期間内である平成１１年１０月４日に訂正請求がなされたものである。
　
２．訂正の適否についての判断
ア．訂正事項
（１）訂正事項１
　特許明細書中の特許請求の範囲の請求項１に係る記載『前記ガラス母材を前記処理液内で』を、『前記ガラス母材の端部を把持して前記ガラス母材を前記処理液内で』と訂正する。
（２）訂正事項２
　上記請求項１に係る記載『回転せしめることを』を、『回転せしめることにより前記ガラス母村の外表面を処理することを』と訂正する。
（３）訂正事項３
　特許明細書第２頁第１７〜１８行（本件特許公報の第３欄第２行）の記載『前記ガラス母材を前記処理液内で』を、『前記ガラス母材の端部を把持して前記ガラス母材を前記処理液内で』と訂正する。
（４）訂正事項４
　特許明細書第２頁第１８行（本件特許公報の第３桐第３行）の記載『回転せしめることを』を、『回転せしめることにより前記ガラス母材の外表面を処理することを』と訂正する。
（５）訂正事項５
　特許明細書第５頁第３〜４行（本件特許公報の第４欄第１７行）の記載『透明ガラス母材の表面』を、『透明ガラス母材の外表面』と訂正する。
（６）訂正事項６
　第２図の右側の「１　光ファイバ母材」からの引き出し線が光ファイバ母材を指すように訂正する。
イ．訂正の目的の適否、新規事項の有無及び拡張・変更の存否
　上記訂正事項１は、特許請求の範囲の減縮を目的とする訂正である。
　上記訂正事項２は、明りょうでない記載の釈明を目的とする訂正である。
　上記訂正事項３〜５は、特許請求の範囲の記載内容と発明の詳細な説明の欄の記載内容との整合性を図るため、明りょうでない記載の釈明を目的とする訂正である。
　上記訂正事項６は、誤記の訂正を目的とする訂正である。
　そして、上記訂正事項１は特許明細書第３頁第３〜２０行および第４頁第９〜１２行（本件特許公報第３欄第６〜２１行および第４欄第４〜６行）の記載に基づいている。上記訂正事項２は、本件特許発明の図面中第１図ないし第３図の記載から直接的にわかるように、ガラス母材としての光ファイバ母材１が棒状体であることに基づいている。すなわち、「表面」は「外表面」であることは新規事項の追加に該当しない。また、上記訂正事項３〜６も新規事項の追加に該当しない。
　よって、上記の各訂正は、新規事項の追加に該当せず、実質的に特許請求の範囲を拡張又は変更するものでもない。
ウ．訂正明細書の請求項１に係る発明
  訂正明細書の請求項１に係る発明（以下「本件発明」という）は、その特許請求の範囲の請求項１に記載された次のとおりのものである。
　「透明ガラス化したガラス母材を弗酸を含む処理液内に浸漬せしめて表面処理をする方法において、前記ガラス母材の端部を把持して前記ガラス母材を前記処理液内で回転せしめることにより、前記ガラス母材の外表面を処理することを特徴とするガラス母材の表面処理方法。」
エ．独立特許要件の判断
（引用刊行物１〜３）
　本件発明に対して、当審が通知した取消理由で引用した刊行物１（特開昭５８−８９９７８号公報）には、次の発明が記載されている。
（１）特許請求の範囲には、「洗浄槽と、この洗浄槽内に着脱自在に収容されるとともに被洗浄物を収容しかつ洗浄液流通孔を多数有する洗浄治具と、からなるとともに、洗浄槽には洗浄槽内で回転する回転部を有し、かつこの回転部には前記洗浄治具が係合して回転するように構成されてなることを特徴とする洗浄装置。」と記載される。
（２）第１頁左下欄第１１行〜同頁右下欄第１行には、「本発明は洗浄装置、特に拡散炉の炉心管を形作る石英管を洗浄する洗浄装置に関する。拡散炉を形作る石英管は拡散処理を繰返して行なううちに汚染され、（中略）汚染物質を洗い流す必要がある。従来、この洗浄は第１図で示すように、洗浄槽１内のふっ酸系の洗浄液２中に石英管３を入れた後、石英管３を揺動させたり、洗浄液２を撹拌したりして洗浄を行なっている・・・」と記載される。
（３）第２頁左下欄第１８行〜同頁右下欄第２行には、「石英管３は洗浄治具５のまま洗浄液２中で強制的に回動されることから、短時間に均一に洗浄されて作業能率が向上するとともに、作業者は洗浄槽１から離れて作業できるため、洗浄液２の付着も起きず安全である。」と記載される。
　同じく刊行物２（実公昭６２−１２４６８号公報）には、次の発明が記載されている。
（１）実用新案登録請求の範囲には、「駆動装置と係合する回転軸の相へだたった位置に、プーリーを介して係合された少なくとも二本の環状可撓伝動帯を有し、前記回転軸下に、該環状可撓伝動帯により水平に垂下支持された被処理円筒状石英管の一部が浸漬される洗浄槽が配設されてなり、前記円筒状石英管が前記環状可撓伝導体（「伝動帯」の誤記）により該石英管の管軸を回転中心に回転せしめて洗浄するようにしたことを特徴とする石英管洗浄装置。」と記載される。
（２）第１頁左下欄には、従来技術として、石英管の洗浄に、例えばＨＦ＋ＨＮＯ３系の洗浄液を使用することが記載される。
　同じく刊行物３（特開昭５４−１１６４２５号公報）には、次の発明が記載されている。
（１）特許請求の範囲には、「ガラス管１の内面に低融点のガラス膜２を添着する第１の工程と、コアロッド３の表面を腐食して不純物を除去し加熱してコアロッド３の表面を溶融する第２の工程と、前記第１の工程を経たガラス管１内に前記第２の工程を経たコアロッド３を挿入し加熱して融着一体化する第３の工程と、これを延伸して断面積を小さくする第４の工程とを有することを特徴とする光ファイバの製造方法。」と記載される。（２）第２頁左上欄第３，４行には、コアロッドの表面を弗酸で処理し表面を腐食することにより不純物を除去することが記載される。
（対比・判断）
　本件発明と刊行物１ないし３記載の各発明とを比較検討する。
　本件発明は訂正された請求項１の構成を採ることにより、透明ガラス母材の外表面をむらなく処理することを発明の目的とするものである。
　これに対して、刊行物１に記載のものは、被洗浄物、特に拡散炉の炉心管を形作る石英管を洗浄治具に収容し、洗浄治具を回転させることにより被洗浄物を洗浄するものであり、被処理物（透明ガラス母材）の端部を把持して被処理物を処理液内で回転せしめる本件発明の構成とは異なる。そして、刊行物１のものは被洗浄物の端部を把持するものではないから、この刊行物１の構成を本件発明のようなガラス母材に適用すると、その外表面に傷がつくか、表面処理の不均一をもたらすかなどの不都合が起こるおそれがあり、本件発明の目的を達成することができない。
　刊行物２に記載のものは、被処理円筒状石英管を少なくとも二本の環状可撓伝動帯により水平に垂下支持し、円筒状石英管が環状可撓伝動帯により該石英管の管軸を回転中心に回転せしめて洗浄するものであり、被処理円筒状石英管を環状可撓伝動帯で把持するものではないから、本件発明の構成とは異なる。そして、刊行物２のものは被処理円筒状石英管の端部を把持するものではないから、この刊行物２の構成を本件発明のようなガラス母材に適用すると、刊行物１のものと同様にその外表面に傷がつくか、表面処理の不均一をもたらすかなどの不都合が起こるおそれがあり、本件発明の目的を達成することができない。
　また、刊行物３のものは、コアロッドの表面を弗酸で処理し表面を腐食することにより不純物を除去する工程を有するものであるが、コアロッドをどのように表面処理するのかについての具体的な構成が記載されてなく、示唆もない。
　したがって、本件発明は、刊行物１或いは２に記載の発明に基づいて当業者が容易になし得たものであるとはいえないし、また、刊行物１ないし３に記載の発明に基づいて当業者が容易になし得たものであるともいえない。
　また、他に本件発明は特許出願の際独立して特許を受けることができないとする理由を発見しない。
オ．むすび
　以上のとおりであるから、上記訂正請求は、特許法第１２０条の４第２項及び同条第３項で準用する第１２６条第２項ないし第４項の規定に適合するので、当該訂正を認める。
３．特許異議の申立てについての判断
ア．申立ての理由の概要
　申立人は、証拠として甲第１号証（上記刊行物１）、甲第２号証（上記刊行物２）及び甲第３号証（上記刊行物３）を提示して、本件発明の特許は、特許法第２９条第１項第３号或いは特許法第２９条第２項の規定に違反してなされたものである旨主張する。
イ．甲各号証
　甲第１号証、甲第２号証及び甲第３号証の記載内容については、上記２．項エにて記載したとおりである。
ウ．本件発明
　本件発明は、上記２．項ウにて記載したとおりのものである。
エ．対比・判断
　上記２．項エにて記載した理由により、本件発明は、甲第１ないし第３号証に記載の各発明に基づいて当業者が容易になし得たものであるとはいえない。
　また、本件発明は、上記２．項エにて記載したことからして、甲第１号証或いは甲第２号証に記載の発明であるともいえない。
オ．むすび
　したがって、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１２年２月１８日（２０００．２．１８）
【訂正の要旨】
（１）訂正事項１
　特許明細書中の特許請求の範囲の請求項１に係る記載『前記ガラス母材を前記処理液内で』を、『前記ガラス母材の端部を把持して前記ガラス母材を前記処理液内で』と訂正する。
（２）訂正事項２
　上記請求項１に係る記載『回転せしめることを』を、『回転せしめることにより前記ガラス母村の外表面を処理することを』と訂正する。
（３）訂正事項３
　特許明細書第２頁第１７〜１８行（本件特許公報の第３欄第２行）の記載『前記ガラス母材を前記処理液内で』を、『前記ガラス母材の端部を把持して前記ガラス母材を前記処理液内で』と訂正する。
（４）訂正事項４
　特許明細書第２頁第１８行（本件特許公報の第３桐第３行）の記載『回転せしめることを』を、『回転せしめることにより前記ガラス母材の外表面を処理することを』と訂正する。
（５）訂正事項５
　特許明細書第５頁第３〜４行（本件特許公報の第４欄第１７行）の記載『透明ガラス母材の表面』を、『透明ガラス母材の外表面』と訂正する。
（６）訂正事項６
　第２図の右側の「１　光ファイバ母材」からの引き出し線が光ファイバ母材を指すように訂正する。
　上記訂正事項１は、特許請求の範囲の減縮を目的とする訂正である。
　上記訂正事項２は、明りょうでない記載の釈明を目的とする訂正である。
　上記訂正事項３〜５は、特許請求の範囲の記載内容と発明の詳細な説明の欄の記載内容との整合性を図るため、明りょうでない記載の釈明を目的とする訂正である。
　上記訂正事項６は、誤記の訂正を目的とする訂正である。
（５４）【発明の名称】
ガラス母材の表面処理方法
（５７）【特許請求の範囲】
　【請求項１】　透明ガラス化したガラス母材を弗酸を含む処理液内に浸漬せしめて表面処理をする方法において、
前記ガラス母材の端部を把持して
ことにより、前記ガラス母材の外表面を処理する
【発明の詳細な説明】
［産業上の利用分野］
　本発明は、例えば透明ガラス化した光ファイバ母材の如きガラス母材の表面処理方法に関するものである。
［従来技術］
　従来から、例えば第３図に示すように、透明ガラス化した、例えば光ファイバ母材１を、容器４内に満たした弗酸を含む処理液２中に浸漬せしめ、その表面を腐食することにより表面の傷や不純物を除去する方法が知られている。（例えば特開昭５４−１１６４２５号公報）
　なお、第３図において符号３は容器４内に前記光ファイバ母材１をセットするための支持台である。
　ところでこのようにしてなる従来の方法においては、処理液２中に単に光ファイバ母材１を静止状態で浸漬するだけなので、例えば母材１から溶け出したゾル状態の物質が母材表面に付着あるいは滞留するなどして処理液２と母材１との接触状態を妨げる等の問題から、母材１の表面に処理むらが生じ、母材１の品質がその長手方向、周方向にばらつくという問題があった。
［発明の目的］
　前記問題に鑑み本発明の目的は、透明ガラス化したガラス母材を処理むらなく表面処理できる方法を提供することにある。
［発明の構成］
　前記目的課題を達成すべく本発明は、透明ガラス化したガラス母材を弗酸を含む処理液内に浸漬せしめて表面処理をする方法において、
前記ガラス母材の端部を把持して
ことにより、前記ガラス母材の外表面を処理する
［発明の実施例］
　以下に本発明の実施例を図を参照して詳細に説明する。第１図、第２図は本発明の一実施例を示すもので、これらの図が示すように本発明の方法は、その中心に後述する母材固定円盤６、６の外側中心に穿いた支持穴８、８にその先端部が嵌合する中心軸９、９を各々有する回転ギヤ１０、１０が所定間隔をもって同軸状に配置され、前記回転ギヤ１０、１０に嵌め合ってこれを回転する回転ギヤ１１、１１が装着された軸１２の一端に、該軸１２を駆動するモータ１３が設けられた装置の前記中心軸９、９により、光ファイバ母材１の端部を固定できる切欠部５をその周方向に適宜間隔で複数有する母材固定円盤６、６を回転軸７の両端に所定の間隔で同軸状に装着し、これを前記各母材固定円盤６、６に各々穿いた支持穴８、８を介して支持する。続いて、前記母材固定円盤６、６の各切欠部５に順次光ファイバ母材を押え具１４により装着する。ここで符号１５、１６は押え具１４を母材固定円盤６、６に固定するためのネジである。
　このように所望本数の光ファイバ母材１を母材固定円盤６、６に固定したら、容器４内に弗酸を含む処理液２を前記母材固定円盤６、６及びこれに固定した光ファイバ母材１が完全に埋没するように注ぎ込み、しかる後モータ１３を動かして母材固定円盤６、６を処理液中で回転せしめ、光ファイバ母材１、１…の表面処理を行う。
　尚、前述の方法では複数本の光ファイバ母材１を同時に処理する方法を示したが、最も簡便な方法としては、単に１本の光ファイバ母材１を、その両端を回転チャック等で把持して処理液中で回転せしめる方法がある。
　また処理液としては、例えば弗酸の他に、弗酸に硝酸を加えゾル状物の拡散を促進するようにしたもの、あるいは弗酸に硫酸を加え有機物の分解もできるようにしたもの等が有効であるが、もちろんこれらに限定されるものではない。
　さらに前記実施例ではガラス母材として光ファイバ母材についてのみ述べているが、この他にもガラス装飾品、光学ガラス等の透明ガラス母材に本発明は適用できる。
［発明の効果］
　前述の如く本発明によれば、透明ガラス母材の外表面をむらなく処理することができる。
【図面の簡単な説明】
　第１図、第２図は本発明の一実施例を示す概略図及び要部拡大図、第３図は従来の方法を示す斜視図である。
１……光ファイバ母材、２……処理液、４……容器、５……切欠部、６……母材固定円盤、７……回転軸、８……支持穴、９……中心軸、１０、１１……回転ギヤ、１３……モータ、１４……押え具
【図面】